(57)【要約】【課題】ブルートゥースイヤホーンが複数のリモート接続装置とマルチ接続を行う時は、切り替えて使用できるという目的を達することにある。【解決手段】切替可能なマルチ接続機能を有するブルートゥースイヤホーンは、送受信ユニット、マイクロプロセッサーユニット、メモリー保存ユニットと切替モジュールを含む。前記送受信ユニットは少なくとも一つのリモート接続装置が伝送するワイヤレス信号を送受信し、またマイクロプロセッサーユニットはこれらのワイヤレス信号を受信し、これらのリモート接続装置に対してそれぞれサービスユニットを設置し、ひいてはメモリー保存ユニットを通じて前記マイクロプロセッサーユニットが受信したこれらのワイヤレス信号を保存し、且つ、これらのサービスユニットに保存する。さらに、前記マイクロプロセッサーユニットに電気的に接続する切替モジュールにより、これらのサーブスユニットの切替を選択する。【選択図】図１
0003125481.tif 000002
【実用新案登録請求の範囲】
【請求項１】
切替可能なマルチ接続機能を有するブルートゥースイヤホーンであって、
少なくとも一つのリモート接続装置が伝送する無線信号を送受信するために用いられる送受信ユニットと、
これらの無線信号を受信し、かつこれらのリモート接続装置に対してそれぞれサービスユニットを設置するマイクロプロセッサーユニットと、
前記マイクロプロセッサーユニットが受信した前記無線信号を保存し、かつこれらのサービスユニットに保存を行うメモリー保存ユニットと、
前記マイクロプロセッサーユニットと電気的に接続し、切替えられた信号を前記マイクロプロセッサーユニットに出力する切替モジュールと、を含み、
前記マイクロプロセッサーユニットは前記切替えられた信号によりこれらのサービスユニットの一つから選択し、これらの遠端接続装置の一つとは通信の接続を行うことを特徴とする切替可能なマルチ接続機能を有するブルートゥースイヤホーン。
【請求項２】
前記送受信ユニットがアンテナを有するワイヤレスの送受信回路であることを特徴とする請求項1に記載する切替可能なマルチ接続機能を有するブルートゥースイヤホーン。
【請求項３】
これらのリモート接続装置がブルートゥースイヤホーン、ブルートゥースイヤホーン機能を有する家庭用電話、インターネット電話（VoIP Phone、ＩＰ電話）、携帯電話、信号伝送装置或いは信号のゲート装置であることを特徴とする請求項１に記載する切替可能なマルチ接続機能を有するブルートゥースイヤホーン。
【請求項４】
これらのサービスユニットがファームウェア或いはソフトウェアプログラムを構築することを特徴とする請求項１に記載する切替可能なマルチ接続機能を有するブルートゥースイヤホーン。
【請求項５】
これらのサービスユニットのそれぞれに有限のステイト機器（Finite State Machine）の仕組みのサービス構造を有することを特徴とする請求項４に記載する切替可能なマルチ接続機能を有するブルートゥースイヤホーン。
【請求項６】
これらのサービスユニットはそれぞれ前記ブルートゥースとこれらのリモート接続装置の間の接続チャンネルを保存することを特徴とする請求項１に記載する切替可能なマルチ接続機能を有するブルートゥースイヤホーン。
【請求項７】
前記切替モジュールはボタン、つまみ或いは切換スイッチであることを特徴とする請求項1に記載する切替可能なマルチ接続機能を有するブルートゥースイヤホーン。
【請求項８】
さらに提示ユニットを含み、前記提示ユニットは前記マイクロプロセッサーユニットが前記切替モジュールがこれのサービスユニットの切替を選択することを受信する時に、異なる提示信号を出すことを特徴とする請求項１に記載する切替可能なマルチ接続機能を有するブルートゥースイヤホーン。
【請求項９】
前記提示ユニットはスピーカーユニットであることを特徴とする請求項8に記載する切替可能なマルチ接続機能を有するブルートゥースイヤホーン。
【請求項１０】
前記提示ユニットは表示ユニット或いは発光ダイオード（ＬＥＤ）であることを特徴とする請求項8に記載する切替可能なマルチ接続機能を有するブルートゥースイヤホーン。
【考案の詳細な説明】
【技術分野】
【０００１】
本考案は、特に切替可能なマルチ接続機能を有するブルートゥースイヤホーンに関する。
【背景技術】
【０００２】
近年無線技術の発展にともない、短距離の無線伝送技術は徐々に一つの新しい流れとなりつつあり、またユーザーにとってますます便利なサービスが提供されており、その中でも、ブルートゥースイヤホーン技術の出現によって、従来の個人用装置はインターネット環境を更に使用しやすくなった。
【０００３】
このほか、消費型の電子製品や通信製品の盛んな発展により、現在あらゆる製品はほとんどブルートゥース無線トランスミッション（伝送）の機能を内蔵しており、製品の間にデータの伝送を行う、ブルートゥース技術の応用は更に広がり、かつ消費者の支持を受けている。通信製品（家庭用電話、携帯電話、インターネット電話など）において、ブルートゥース無線トランスミッションが主に応用されるのは、装置間でデータの保存や予備用コピーを行うことで、その他のよく用いられる応用方法としてブルートゥースイヤホーンを用いて受話器を持たずに通話できるという便利な方法がある。
【考案の開示】
【考案が解決しようとする課題】
【０００４】
しかしながら目下ブルートゥースイヤホーンの設計上、同じブルートゥースの通信プロトコル(Profile)では、同じ時間にただ一つの装置を接続してのコミュニケーションを行うことしかできないという問題があった。また、もしほかの装置と接続して使用する場合には、現在接続している装置を中断しなければならなかった。このような問題は、現在の市場のほとんどの人が各種のデジタル通信製品を持っている状況に照らせば、便利さに欠け、改良の余地がある。
【０００５】
これらに鑑み、本考案は一つのブルートゥースイヤホーンを同時に多くのリモート接続装置に応用する際、ブルートゥースイヤホーン上の切替モジュールによって異なるリモート接続装置を切替使用できるという目的を図るものである。
【課題を解決するための手段】
【０００６】
上述の問題を解決するために、本考案が提出するプランにより、切替可能なマルチ接続機能を有するブルートゥースイヤホーンを提供し、送受信ユニット、マイクロプロセッサーユニット、メモリー保存ユニット、切替モジュールを含む。前記送受信ユニットは、少なくとも一つのリモート接続装置が伝送する無線信号を送受信するために用いられ、またマイクロプロセッサーユニットは、これらの無線信号を受信し、かつこれらのリモート接続装置に対してそれぞれサービスユニットを設置し、その中の前記サービスユニットはそれぞれ前記ブルートゥースイヤホーンとこれらのリモート接続装置の間の接続チャンネルを保存し、ひいては前記メモリー保存ユニットにより前記マイクロプロセッサーユニットが受信した前記無線信号を保存し、かつこれらのサービスユニットにアクセスを行う。また前記マイクロプロセッサーユニットと電気的に接続する切替モジュールにより前記サービスユニットを切り替えて選択する。
【０００７】
本考案の特徴及び技術内容をさらに理解しやすいように、以下に本考案に関わる詳細な説明と図を加えるが、しかしながらあらゆる図は参考と説明に用いるために提供するもので、本考案に制限を加えるものではない。
【考案を実施するための最良の形態】
【０００８】
（実施例）
図１が示すのは、本考案の切替可能なマルチ接続機能を有するブルートゥースイヤホーンの好ましい実施例のブロック図であり、図が示すのは、送受信ユニット１００、マイクロプロセッサーユニット１１０、メモリー保存ユニット１２０、切替モジュール１４０を含む。
【０００９】
その内、ブルートゥースイヤホーン１は送受信ユニット１００によって少なくとも一つのリモート接続装置２が伝送する無線信号を送受信し、また送受信ユニット１００はアンテナを有するワイヤレスの送受信回路であり、かつリモート接続装置２であり、ブルートゥースイヤホーン、ブルートゥース機能を有する家庭用電話、インターネット電話（VoIP Phone、ＩＰ電話）、携帯電話、信号伝送装置或いは信号のゲート装置などのさまざまな装置である。つづいて、マイクロプロセッサーユニット１１０はこれらの無線信号を受信し、かつこれらのリモート接続装置２に対してそれぞれサービスユニット１３０を設置し、その内前記サービスユニット１３０はファームウェア或いはソフトウェアプログラムを構築し、かつサービスユニット１３０の中で、例えば有限のステイト（状態）機器（Finite State Machine）の仕組みのサービス構造を有し、ひいてはサービスユニット１３０はそれぞれ前記ブルートゥース１とこれらのリモート接続装置２の間の接続チャンネルを保存し、装置間のコミュニケーションを行う。
【００１０】
このほか、メモリー保存ユニット１２０により前記マイクロプロセッサーユニット１１０が受信したリモート接続装置２が伝送する無線信号を保存し、ひいてはサービスユニット１３０にデータの保存を行う。最後に、前記マイクロプロセッサーユニット１１０と電気的に接続する切替モジュール１４０により前記サービスユニットを１３０切り替えて選択する。その内の切替モジュール１４０はボタン、つまみ或いは切換スイッチであり、切替モジュール１４０は異なるリモート接続装置２を切り替えた後、マイクロプロセッサーユニット１１０がリモート接続装置２に切り替える意味の情報をサービスユニット１３０に通知し、サービスユニット１３０を作動させてメモリー保存ユニット１２０に関係データを保存し、前記関係データは例えば、前記マイクロプロセッサーユニット１１０を介しマイクロ-ホン160から入力する声音などのデータを受信し、更に送受信ユニット１００によりリモート接続装置２に伝送する。このほか、ブルートゥースイヤホーン１は更に提示ユニット１５０を含み、前記提示ユニット１５０は前記マイクロプロセッサーユニット１１０が切替モジュール１４０がこれらのサービスユニット１３０に切り替える際、異なる提示信号を出して、選択したリモート接続装置２を示し、その内の提示ユニット１５０は例えばスピーカーユニット、もしくは更に表示ユニット或いは発光ダイオード（ＬＥＤ）などである。
【００１１】
以下、例の範囲を限定するものではなく、更に、異なる切替モジュール１４０と提示ユニット１５０の操作実施状態を例にとって述べる。
【００１２】
図２が示すのは、本考案のブルートゥースイヤホーンの外観概略図であり、図から分かるように、本考案が述べる切替モジュール１４０はボタン３０を用いるタイプである。また、提示ユニット１５０は発光ダイオード４０を用いる方式で提示を行う。その内、たとえばボタン３０を短く押してリモート接続装置２につなぐことができ、さらにボタン３０を長く押すともう一つのリモート接続装置２につなぐことができ、このとき、もともとつないでいたリモート接続装置２は保留されており、ひいてはボタン３０を二回押すことにより切替を行い、接続中のリモート接続装置２の中から選択することができる。このほか、発光ダイオード４０においては、異なる色によって、異なるリモート接続装置２をつなぐ順序を識別でき、また切替を選択する際、発光ダイオード４０の色はその都度変わる。また、提示ユニット１５０はスピーカー装置（図は省略）により更に同時に異なる音の信号を出すことができ、異なるリモート接続装置２を識別することができる。
【００１３】
図３に示すのは、本考案のブルートゥースイヤホーンのもう一つの外観概略図であり、図から分かるように、本考案の述べる切替モジュール１４０はつまみ５０を用いるタイプである。また、提示ユニット１５０は表示ユニット６０を用いる方式で提示を行う。その内、たとえばつまみ５０を短く押してリモート接続装置２につなぐことができ、さらにつまみ５０を長く押すともう一つのリモート接続装置２につなぐことができ、このとき、もともとつないでいたリモート接続装置２は保留されており、ひいてはつまみ５０を上につまみ上げるか下に戻すことにより切り替えを行い、接続中のリモート接続装置２の中から選択することができる。このほか、表示ユニット６０はリモート接続装置２のつなぐ順序により異なる符号もしくは代替番号（図は省略）を表すことができ、また装置の切替を選択する際、異なるリモート接続装置２を識別することができる。
【００１４】
以上の通り、上述の技術方法により、本考案はブルートゥースイヤホーン１と複数のリモート接続装置２を同時につなぐことができるだけではなく、切り替えて使用することもでき、ブルートゥースイヤホーン１の応用範囲が広がり、無線通信の機能により便利さと実用性が増す。
【００１５】
しかしながら、以上に述べたのは、本考案の具体的な実施例の詳細な説明と図式にすぎず、本考案を制限するものではなく、本考案の範囲は実用新案登録請求の範囲に従い、いかなる熟練の技術者が本考案の範囲内で、考え得る修飾や変化については、全て本考案の実用新案登録請求の範囲内に属する。
【図面の簡単な説明】
【００１６】
【図１】本考案の切替可能なマルチ接続機能を有するブルートゥースイヤホーンの好ましい実施例のブロック図である。
【図２】本考案のブルートゥースイヤホーンの外観図である。
【図３】本考案のブルートゥースイヤホーンのもう一つの外観図である。
【符号の説明】
【００１７】
１      ブルートゥースイヤホーン
１００  送受信ユニット
１１０  マイクロプロセッサーユニット
１２０  メモリー保存ユニット
１３０  サービスユニット
１４０  切替モジュール
１５０  提示ユニット
１６０  マイクロ-ホン
２      リモート接続装置
３０    ボタン
４０    発光ダイオード
５０    つまみ
６０    表示ユニット
【図１】
0003125481.tif 000003
【図２】
0003125481.tif 000004
【図３】
0003125481.tif 000005